(57)【要約】【課題】自動原稿給送装置により原稿を搬送しつつその画像データを読取る画像読取装置において、ユーザが設定操作を行うことなく原稿トレイに原稿が載置された段階で読取モードを自動的に設定することができる画像読取装置を提供すること。【解決手段】本発明の画像読取装置１は、原稿トレイ２５に載置された原稿に付設されているＲＦＩＤタグから無線通信により情報を読み出す第１リーダ２２と、読み出した情報に基づいて原稿に対する読取モードを設定する制御部２と、自動原稿給送装置２１により原稿トレイ２５から搬送路２６に沿って搬送される原稿の画像データを設定された読取モードで読取る読取手段と、を備える。【選択図】      図２
2006080804.tif 000002
【特許請求の範囲】
【請求項１】
原稿トレイに載置された原稿に付設されている電子タグから無線通信により情報を読み出す読出手段と、該手段が読み出した情報に基づいて前記原稿に対する読取モードを設定する設定手段と、自動原稿給送装置により前記原稿トレイから搬送路に沿って搬送される原稿の画像データを前記設定手段により設定された読取モードで読取る読取手段と、を備えることを特徴とする画像読取装置。
【請求項２】
前記設定手段は、前記読出手段が読み出した情報に複数の異なる原稿サイズ情報が含まれている場合に、前記原稿に対する前記読取モードを混載モードに設定することを特徴とする請求項１記載の画像読取装置。
【請求項３】
前記設定手段は、前記読出手段が読み出した情報に含まれている原稿種類情報に応じて前記原稿に対する前記読取モードを設定することを特徴とする請求項１記載の画像読取装置。
【請求項４】
前記原稿トレイにおける原稿の有無を検出する検出手段を備え、
前記読出手段は、前記検出手段が前記原稿トレイに原稿があることを検出した場合に、前記電子タグから情報を読み出すことを特徴とする請求項１乃至３のいずれか１に記載の画像読取装置。
【請求項５】
前記自動原稿給送装置により前記原稿トレイから前記搬送路に搬入された原稿に付設されている電子タグから無線通信により情報を読み出す分離読出手段を備え、
前記読取手段は、前記分離読出手段が読み出した情報に基づいて前記搬入された原稿の画像データを読取ることを特徴とする請求項１乃至４のいずれか１に記載の画像読取装置。
【請求項６】
前記読出手段又は前記分離読出手段が前記電子タグから読み出した情報に基づいて報知処理を行う報知手段を備えることを特徴とする請求項１乃至５のいずれか１に記載の画像読取装置。
【発明の詳細な説明】
【技術分野】
【０００１】
本発明は、画像読取装置に関し、詳しくは自動原稿給送装置により原稿トレイから搬送される原稿の画像データを読取る読取手段を備える画像読取装置に関するものである。
【背景技術】
【０００２】
自動原稿給送装置（ＡＤＦ：Automatic Document Feeder）により原稿を搬送しつつその画像データを読取る画像読取装置では、ユーザが原稿トレイに原稿を載置した後に操作キーなどを操作して読取モードを設定した場合、設定された読取モードに従って原稿の画像データが読取られる。このような画像読取装置において設定可能な読取モードの一つに、混載モードがある。
【０００３】
混載モードは、自動原稿給送装置の原稿トレイに原稿サイズの異なる複数枚の原稿が載置された場合に、原稿サイズを検出しながら原稿の画像データの読取った後に必要な画像処理を行うという一連の読取動作を原稿毎に行う読取モードである。したがって、混載モードが設定されて例えば複写（コピー）を行う場合、原稿サイズの異なる複数枚の原稿を同じサイズの用紙に複写したり、原稿サイズに応じて使用する用紙のサイズを変更して複写することが可能である。この混載モードを設定して原稿の読取動作を行う場合、通常、原稿読取り開始前にユーザが読取モードに設定するための操作を行う必要があるが、ユーザがこの設定操作を行うことなく混載モードを自動的に設定して原稿の読取動作を行う画像読取装置がある（例えば、特許文献１参照。）。
【０００４】
特許文献１の画像読取装置は、原稿の読取動作に先立って、原稿トレイに載置された複数枚の原稿を自動原稿給送装置により１枚ずつ搬送しつつ搬送路の途中に設けられた原稿サイズ検出センサにより全ての原稿の原稿サイズを検出した後、複数枚の原稿の原稿サイズが全て一致するか否かを判断する判断処理を行い、いずれか１枚でも原稿サイズの異なる原稿があると判断した場合に、読取モードを混載モードに設定する。したがって、ユーザが混載モードの設定操作を行う必要がなく、また、不適切なサイズの用紙に原稿が複写されるのを防止することができる。
【特許文献１】特開平１１−２７２０２１号公報
【発明の開示】
【発明が解決しようとする課題】
【０００５】
ところが、特許文献１の画像読取装置によれば、原稿サイズの一致不一致の判断を行うための原稿送り動作と原稿の読取動作のための原稿送り動作の合計２回の原稿送り動作を行わなければならず、原稿トレイに原稿が載置されてから読取動作が完了するまでに多くの時間がかかるという問題があった。
【０００６】
また、例えば、原稿の画像データをカラーで読取るカラーモードや原稿の両面の画像データを読取る両面読取モードについても、原稿の画像がカラーであるか否かを判断する処理や原稿が両面原稿であるか否かを判断する処理を原稿毎に行わなければならなかった。そのため、混載モードの場合と同様に、原稿トレイの原稿を搬送路に沿って１枚ずつ搬送してカラー／モノクロの判断処理や両面／片面の判断処理を行う必要があり、混載モードに限らず他の読取モードについても原稿トレイに原稿が載置された段階で直ちに読取モードを設定することはできないという問題があった。
【０００７】
本発明は、かかる課題に鑑みてなされたものであり、自動原稿給送装置により原稿を搬送しつつその画像データを読取る画像読取装置において、ユーザが設定操作を行うことなく原稿トレイに原稿が載置された段階で読取モードを自動的に設定することができる画像読取装置を提供することを目的とする。
【課題を解決するための手段】
【０００８】
上記目的を達成するために、請求項１記載の画像読取装置は、原稿トレイに載置された原稿に付設されている電子タグから無線通信により情報を読み出す読出手段と、該手段が読み出した情報に基づいて前記原稿に対する読取モードを設定する設定手段と、自動原稿給送装置により前記原稿トレイから搬送路に沿って搬送される原稿の画像データを前記設定手段により設定された読取モードで読取る読取手段と、を備えることを特徴としている。
【０００９】
請求項２記載の画像読取装置は、請求項１に記載の画像読取装置において、前記設定手段は、前記読出手段が読み出した情報に複数の異なる原稿サイズ情報が含まれている場合に、前記原稿に対する前記読取モードを混載モードに設定することを特徴としている。
【００１０】
請求項３記載の画像読取装置は、請求項１に記載の画像読取装置において、前記設定手段は、前記読出手段が読み出した情報に含まれている原稿種類情報に応じて前記原稿に対する前記読取モードを設定することを特徴としている。
【００１１】
請求項４記載の画像読取装置は、請求項１乃至３のいずれか１に記載の画像読取装置において、前記原稿トレイにおける原稿の有無を検出する検出手段を備え、前記読出手段は、前記検出手段が前記原稿トレイに原稿があることを検出した場合に、前記電子タグから情報を読み出すことを特徴としている。
【００１２】
請求項５記載の画像読取装置は、請求項１乃至４のいずれか１に記載の画像読取装置において、前記自動原稿給送装置により前記原稿トレイから前記搬送路に搬入された原稿に付設されている電子タグから無線通信により情報を読み出す分離読出手段を備え、前記読取手段は、前記分離読出手段が読み出した情報に基づいて前記搬入された原稿の画像データを読取ることを特徴としている。
【００１３】
請求項６記載の画像読取装置は、請求項１乃至５のいずれか１に記載の画像読取装置において、前記読出手段又は前記分離読出手段が前記電子タグから読み出した情報に基づいて報知処理を行う報知手段を備えることを特徴としている。
【発明の効果】
【００１４】
請求項１に記載の画像読取装置によれば、原稿に付設されている電子タグに予め原稿サイズ等の原稿に関する情報を書込んでおくことにより、原稿トレイに原稿が載置された段階で自動的に読取モードを設定させることができる。そのため、原稿トレイに原稿が載置された後に、ユーザが読取モードの設定操作を行ったり、例えば混載モードに設定する必要があるか否かを判断するために、原稿トレイに載置された全ての原稿を原稿トレイから１枚ずつ搬送して原稿サイズを検出するといった処理を行うことなく、原稿トレイに原稿が載置（セット）された段階で最適な読取モードを設定することができる。
【００１５】
請求項２に記載の画像読取装置によれば、原稿トレイに原稿が載置された段階でどのような原稿サイズの原稿が載置されているかを判断することができるとともに、複数の異なる原稿サイズの原稿が載置されていると判断した場合には、ユーザが何ら設定操作を行うことなく読取モードを混載モードに設定することができる。また、電子タグから原稿サイズ（原稿サイズ情報）を読み出すことができるため、原稿トレイから搬送ローラにより原稿を搬送しつつ搬送ローラのステップ数等から原稿サイズを検出するといった処理を行う必要がない。したがって、搬送路に原稿サイズを検出するためのセンサ（原稿サイズ検出センサ）を設けたり、上記の処理を行うために搬送路の距離を一定以上確保する必要がなく、原稿読取部の構成を小型化することが可能である。
【００１６】
請求項３に記載の画像読取装置によれば、原稿トレイに原稿が載置された段階で原稿に付設されている電子タグから読み出した原稿種類情報に応じて原稿の読取モードを設定することができる。例えば、車検証などの地模様や地色のある原稿であることを示す原稿種類情報が電子タグに記憶されている場合には、読取モードを原稿の背景を消す読取モードに自動的に設定することが可能である。
【００１７】
請求項４に記載の画像読取装置によれば、読出手段は、検出手段が原稿トレイに原稿があることを検出した場合に、無線通信を行って電子タグから情報を読み出すので、原稿トレイに原稿が載置されていない場合に、不要な無線通信動作が行われるのを防止することができる。また、原稿トレイに原稿が載置された段階で、直ちに最適な読取モードを設定することができる。
【００１８】
請求項５に記載の画像読取装置によれば、複数の電子タグから読み出した情報（原稿に関する情報）が異なる場合、言い換えれば、異なる種類の複数枚の原稿が原稿トレイに載置された場合には、それらの原稿に関する情報がどの原稿に対応するものであるかを判別することはできないが、分離取得手段により各原稿毎に原稿に関する情報を取得するとともに各原稿毎に適切な読取動作を行うことができる。
【００１９】
請求項６に記載の画像読取装置によれば、ユーザは、原稿サイズ等の原稿に関する情報や原稿に関する情報に基づいて設定された読取モード等を認識することができる。
【発明を実施するための最良の形態】
【００２０】
以下、本発明の実施の形態に係る画像読取装置をコピー機能を有する画像読取装置に適用した場合について、図面に基づき説明する。図１は、この画像読取装置１の構成例を示したブロック図である。画像読取装置１は、図示するように制御部（ＭＰＵ：Microprocessing Unit）２、原稿読取部３、画像処理部４、コーデック（ＣＯＤＥＣ：Coder and Decoder）５、画像メモリ６、記録部７、操作部８、報知部９、ＲＯＭ（Read Only Memory）１０、及びＲＡＭ（Random Access Memory）１１を備えたものであって、各部２乃至１１は、バス１２によって通信可能に接続されている。
【００２１】
制御部２は、画像読取装置１の各部の動作を制御する。画像処理部４は、原稿読取部３が読取った原稿の画像データに対して画像処理を行うものである。具体的には、原稿読取部３が読取った原稿の画像データに対して、シェーディング補正、γ補正、拡大／縮小処理（画素データの補間処理又は間引処理）、地色や地模様のある原稿の画像データの背景を消すための地色補正等の画像処理を必要に応じて行う。なお、この画像処理部４は、カラー画像データとモノクロ画像データの双方の画像データに対して画像処理を行うことができ、カラー画像データの色空間変換や色調整などを行うことも可能である。
【００２２】
コーデック５は、画像データを符号化（エンコード）・復号（デコード）するものである。ここでは、画像処理部４で画像処理が行われた原稿の画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。
【００２３】
画像メモリ６は、コーデック５において符号化された画像データ、画像処理部４から直接出力された画像データ等を格納する。記録部７は、画像メモリ６から読み出された画像データの画像（カラー画像又はモノクロ画像）を用紙に記録するものである。この記録部７における記録方式としては、例えば、電子写真方式やインクジェット記録方式等の各種の記録方式を用いることができる。
【００２４】
操作部８は、原稿読取部３に原稿の読取り開始を指示するためのスタートキー、コピー部数等を入力するためのテンキー、各種設定を行うためのカーソルキーなど、報知部９と連動した各種操作キーを備えている。報知部９は、各種の報知画面や画像読取装置１の動作状態などを文字や図形などで表示する液晶表示装置（ＬＣＤ：Liquid Crystal Display）１４、点灯又は消灯で表示するＬＥＤランプ１５、音声データの音声やブザー音を鳴動して報知動作を行うスピーカ１６などを備えている。なお、液晶表示装置１４は、タッチパネル式のものであり、操作部８に代えてこの液晶表示装置１４の画面をユーザが指等により触れることにより各種の操作を行うこともできる。
【００２５】
原稿読取部３は、原稿の画像データを読取るものであり、本実施形態においては、原稿のカラー画像データ又はモノクロ画像データを読取る機能や、原稿の片面の画像データ又は両面の画像データを読取る機能などを備えたものである。この原稿読取部３は、図１及び図２に示すように、ＣＣＤ（Charge Coupled Device）ラインセンサ１８、ＣＩＳ（Contact Image Sensor）読取ユニット１９、原稿検出センサ２０、自動原稿給送装置（ＡＤＦ：Automatic Document Feeder）２１、第１リーダ２２、及び第２リーダ２３を具備して構成されている。
【００２６】
ＣＣＤラインセンサ１８は、原稿の一方の面（表面）の画像データを読取るものであり、図示しないが、いわゆるフラット・ベッド・スキャナ（ＦＢＳ：Flat Bed Scanner）内に配設されている。フラット・ベッド・スキャナは、ＣＣＤラインセンサ１８の他に、原稿に光を照射する光源、原稿からの反射光を所定の方向へ導く反射ミラーを備えた走査キャリッジ、反射光を収束する集光レンズ等を具備して構成されており、ＣＣＤラインセンサ１８は、フラット・ベッド・スキャナの透明な原稿載置板に載置された原稿の画像データ、又は自動原稿給送装置２１により原稿トレイ２５から搬送される原稿の一方の面の画像データを読取る。
【００２７】
ＣＩＳ読取ユニット１９は、原稿の他方の面（裏面）の画像データを読取る、いわゆる密着形イメージセンサ（ＣＩＳ）を用いたものであり、自動原稿給送装置２１内に配設されている。このＣＩＳ読取ユニット１９は、図示しないが、光源により照射された原稿からの反射光を収束性ファイバで光導電素子上に収束して読取る固定式の読取ユニットであり、自動原稿給送装置２１により原稿トレイ２５から搬送される原稿の他方の面の画像データを読取る。
【００２８】
なお、ＣＣＤラインセンサ１８及びＣＩＳ読取ユニット１９は、ともにカラー及びモノクロ双方の画像データを読取ることが可能なものである。このように、原稿読取部３ではＣＣＤラインセンサ１８とＣＩＳ読取ユニット１９により原稿の画像データを読取ることが可能であり、本実施形態においては、ＣＣＤラインセンサ１８とＣＩＳ読取ユニット１９の両方又はいずれか一方が自動原稿給送装置２１により原稿トレイ２５から搬送される原稿の画像データを設定された読取モードで読取る読取手段として機能し、画像処理部４は、読取られた原稿の画像データに対して読取モードの機能を実行するために必要な画像処理を行う。
【００２９】
原稿検出センサ２０は、原稿トレイ２５における原稿の有無を検出する検出手段として機能するものであり、例えば、光学式の反射型センサ等を使用することができる。制御部２は、この原稿検出センサ２０の検出結果に基づいて、原稿トレイ２５に原稿が載置（セット）されたか否かを判断することができる。自動原稿給送装置２１は、原稿トレイ２５に載置された原稿を１枚ずつ搬送路２６に沿って搬送した後に排紙トレイ２７へと排出するものであり、原稿トレイ２５の原稿を搬送路２６へ搬入する給紙ローラ２８、搬送路２６へ搬入された原稿を搬送する搬送ローラ２９、搬送路２６に沿って搬送された原稿を排紙トレイ２７へ排出する排紙ローラ３０等を具備して構成されている。
【００３０】
第１リーダ２２及び第２リーダ２３は、原稿に付設されている電子タグから無線通信により情報を読み出すものである。具体的には、第１リーダ２２又は第２リーダ２３が発振した電波を電子タグが受信すると、共振作用により電子タグ内に起電力が発生し、電子タグは、発生した起電力により予め書込まれている情報を発信する。第１リーダ２２及び第２リーダ２３は、このようにして電子タグから発信された情報を受信することにより、電子タグから情報を読み出す。
【００３１】
原稿に付設されている電子タグは、本実施形態においては、ＲＦＩＤ（Radio Frequency-Identification：電波方式認識）タグである。ＲＦＩＤタグは、図示しないが、超小型のＩＣ（集積回路）チップと、無線通信用のコイル状のアンテナと、から構成されており、ＩＣチップは、記憶部、電源整流部、送信部、及び受信部を具備している。なお、このＲＦＩＤタグの記憶部には、付設される原稿に関する情報が予め書込まれており、第１リーダ２２及び第２リーダ２３は、原稿に付設されているＲＦＩＤタグから無線通信により情報（以下、「原稿に関する情報」という。）を読み出すことができる。ここで、ＲＦＩＤタグに予め書込まれている原稿に関する情報は、原稿トレイ２５に載置された原稿に対する読取モードの設定処理や原稿の画像データを読取って画像処理を行うために必要な情報であり、原稿サイズ情報、原稿種類情報、名刺サイズ読取命令情報、読取禁止情報等である。
【００３２】
原稿サイズ情報は、原稿のサイズに関する情報であり、具体的には、Ａ４（２９７×２１０ｍｍ）や、Ｂ４（３６４×２５７ｍｍ）等の原稿の縦方向と横方向の長さを示す情報である。原稿種類情報は、原稿の紙面上の画像がどのような種類の画像の原稿であるかを示す情報である。原稿の種類としては、地色や地模様のある原稿（例えば、車検証など）、画像がカラーで記録されたカラー原稿、画像がモノクロで記録されたモノクロ原稿、主に写真が記録された写真原稿、主に文字が記録された文字原稿、一方の面に画像が記録された片面原稿、両方の面に画像が記録された両面原稿等がある。名刺サイズ読取命令情報は、原稿の画像を名刺サイズに拡大又は縮小して読取るための命令を示す情報である。読取禁止情報は、原稿が読取りを禁止された原稿であることを示す情報である。
【００３３】
第１リーダ２２は、原稿トレイ２５に載置された原稿に付設されているＲＦＩＤタグから無線通信により原稿に関する情報を読み出す読出手段として機能するものであり、原稿トレイ２５の所定の位置に設置されている。第１リーダ２２は、原稿検出センサ２０が原稿トレイ２５に原稿があることを検出した場合に、載置されている原稿のＲＦＩＤタグから原稿に関する情報を読み出す。なお、第１リーダ２２は、原稿のどの位置にＲＦＩＤタグが付設されていたとしても原稿に関する情報を読み出すことができるように、少なくとも、原稿トレイ２５上のどの位置にＲＦＩＤタグが位置したとしても原稿に関する情報を読み出すことができるように、その通信範囲が予め設定されたものが使用されている。また、第１リーダ２２は、アンチコリジョン機能を有しており、原稿トレイ２５に複数枚の原稿が載置された場合であっても、それらの複数枚の原稿に付設されている複数のＲＦＩＤタグから原稿に関する情報を同時に読み出すことが可能である。
【００３４】
第２リーダ２３は、自動原稿給送装置２１により原稿トレイ２５から搬送路２６に搬入された原稿に付設されているＲＦＩＤタグから無線通信により原稿に関する情報を読み出す分離読出手段として機能するものであり、搬送路２６周辺の所定の位置に設置されている。なお、この第２リーダ２３は、原稿トレイ２５から搬送路２６に沿って搬入され、原稿トレイ２５に載置されている他の原稿と分離された原稿に付設されているＲＦＩＤタグからのみ原稿に関する情報を読み出せるように、その通信範囲が原稿トレイ２５に及ぶことがないようなものが使用されている。すなわち、第２リーダ２３は、原稿トレイ２５に載置されている原稿のＲＦＩＤタグから原稿に関する情報を読み出すことはできない。ところで、上記のように、原稿トレイ２５に複数枚の原稿が載置され、第１リーダ２２が複数の異なる原稿に関する情報を読み出した場合には、それらの原稿に関する情報がそれぞれどの原稿に対応するものであるかを判別することができないが、自動原稿給送装置２１により原稿トレイ２５から搬送路２６に原稿を搬入して原稿トレイ２５に載置されている他の原稿と分離することにより、第２リーダ２３を使用して原稿毎に原稿に関する情報を読み出すことができる。
【００３５】
ＲＯＭ１０は、制御部２によりこの画像読取装置１の各部の動作が制御されるための各種プログラムを格納している。ＲＡＭ１１は、画像読取装置１の処理動作に用いる設定情報や動作情報等の各種データを読出し及び書込み可能な状態で格納している。また、原稿の読取り開始前に第１リーダ２２がＲＦＩＤタグから読み出した原稿に関する情報に基づいて設定された読取モードや、第１リーダ２２や第２リーダ２３が読み出した原稿に関する情報は、このＲＡＭ１１に格納される。
【００３６】
上記のように構成された画像読取装置１の原稿読取部３において原稿の両面読取りが行われる場合、原稿トレイ２５に載置された原稿は、まず自動原稿給送装置２１の給紙ローラ２８により搬送路２６へと送り込まれる。搬送路２６へと送り込まれた原稿は、搬送ローラ２９により搬送され、搬送路２６に沿って上方から下方へＵターンするように反転して透光板（不図示）がある読取位置Ｐ１に至り、読取位置Ｐ１を通過する際にＣＣＤラインセンサ１８によって表面の画像データが読取られ、更に搬送路２６を搬送されて読取位置Ｐ２を通過する際にＣＩＳ読取ユニット１９によって裏面の画像データが読取られる。このようにして、ＣＣＤラインセンサ１８とＣＩＳ読取ユニット１９により両面読取りされた原稿は、排紙ローラ３０により原稿トレイ２５の下方に位置する排紙トレイ２７へ排出される。なお、上記の両面読取りの処理動作において、ＣＣＤラインセンサ１８又はＣＩＳ読取ユニット１９のいずれか一方のみが読取動作を行って原稿の片面の画像データを読取ることも当然可能である。
【００３７】
ところで、このようにして読取る原稿には、上記のように地模様や地色のある原稿、文字のみが記録された文字原稿、写真や絵が記録された写真原稿、文字や写真等が混在する文字・写真混在原稿、文字や写真等の画像がカラーで記録されたカラー原稿、文字や写真等の画像がモノクロで記録されたモノクロ原稿など、様々な種類の原稿が存在する。また、原稿のサイズ（原稿サイズ）も、原稿の使用目的などにより異なることが多い。したがって、読取るべき原稿に適した読取動作及び画像処理を行うために、原稿読取り開始前に読取モードの設定が行われる。この画像読取装置１において設定可能な読取モードとしては、混載モード、車検証モード、カラーモード、モノクロモード、片面読取モード、両面読取モードなどがある。
【００３８】
ここで、混載モードは、読取るべき複数枚の原稿の原稿サイズがいずれか１つでも異なる場合に設定される読取モードであり、原稿毎に原稿サイズを検出しつつ検出した原稿サイズに基づいて原稿の画像データを読取って変倍処理等の画像処理を行う読取モードである。車検証モードは、地模様や地色のある原稿を読取る場合に設定される読取モードであり、原稿の読取動作とともに読取った原稿の画像データから地模様や地色を消す地色補正の画像処理を行う読取モードである。カラーモードは、画像がカラーで記録された原稿を読取る場合に設定される読取モードであり、原稿の画像データを例えばＲＧＢ表色系のカラー画像データとして読取るとともにカラー画像データに必要なカラー画像処理を行う読取モードである。モノクロモードは、画像がモノクロで記録された原稿を読取る場合に設定される読取モードであり、原稿の画像データをモノクロ画像データとして読取るとともにモノクロ画像データに必要はモノクロ画像処理を行う読取モードである。片面読取モードは、原稿のいずれか一方の面にのみ画像が記録されている場合に設定される読取モードであり、例えば、ＣＣＤラインセンサ１８のみによって読取動作を行う読取モードである。両面読取モードは、原稿の両方の面に画像が記録されている場合に設定される読取モードであり、ＣＣＤラインセンサ１８とＣＩＳ読取ユニット１９の両方により読取動作を行う読取モードである。
【００３９】
これらの読取モードを設定するには、従来の画像読取装置では、ユーザによる読取モードの設定操作が必要であるが、本実施形態に係る画像読取装置１では、原稿に関する情報を記憶するＲＦＩＤタグが付設された原稿が原稿トレイ２５に載置された場合に、載置された原稿のＲＦＩＤタグから原稿に関する情報を読み出すとともに読み出した情報に基づいて読取モードを設定することができる。すなわち、ユーザが読取モードの設定操作を行うことなく読取モードを設定することができる。なお、混載モードは、原稿トレイ２５に載置された複数枚の原稿の原稿サイズ、すなわち、第１リーダ２２がＲＦＩＤタグから読み出した原稿に関する情報に含まれる原稿サイズ情報に基づいて設定され、上記のその他の読取モードは、第１リーダ２２がＲＦＩＤタグから読み出した原稿に関する情報に含まれる原稿種類情報に基づいて設定されるものである。
【００４０】
以下、原稿に関する情報を記憶するＲＦＩＤタグが付加された原稿が原稿トレイ２５に載置された場合に、画像読取装置１において行われる処理動作について、図３及び図４に示すフローチャートに基づいて説明する。なお、以下のフローチャートに基づいて説明する画像読取装置１の処理動作は、ＲＯＭ１０に格納されているプログラムに基づいて制御部２が発行する命令に従って行われる。また、上記のように、ＲＦＩＤタグは、原稿サイズ情報、原稿種類情報等の様々な情報を記憶することが可能であるため、複数の読取モードを設定して原稿の読取動作を行うことができるが、ここでは、原稿に関する情報に原稿サイズ情報が含まれており、複数の異なる原稿サイズ情報を読み出した場合に読取モードを混載モードに設定して原稿の画像データを読取る場合について主に説明する。
【００４１】
制御部２は、まず、原稿検出センサ２０の検出結果に基づいて、原稿トレイ２５に原稿が載置されたか否かを判断する（Ｓ１）。ここで、原稿トレイ２５に原稿が載置されたと判断した場合（Ｓ１：ＹＥＳ）、原稿トレイ２５に載置された原稿に付設されているＲＦＩＤタグから原稿に関する情報を読み出す（Ｓ２）。すなわち、第１リーダ２２により、原稿トレイ２５に載置された原稿に付設されているＲＦＩＤタグとの間で無線通信を行ってＲＦＩＤタグが記憶する原稿に関する情報を電波により非接触で読み出す。このように、第１リーダ２２は、原稿検出センサ２０が原稿トレイ２５に原稿があることを検出した場合に、ＲＦＩＤタグから原稿に関する情報を読み出す。なお、第１リーダ２２は、原稿トレイ２５に複数の原稿が載置された（複数のＲＦＩＤタグが存在する）場合には、アンチコリジョン機能により、載置された全ての原稿のＲＦＩＤタグから原稿に関する情報を読み出す。また、制御部２は、この段階で第１リーダ２２が取得した原稿に関する情報の数から載置されている原稿の枚数を判断することができる。例えば、第１リーダ２２が３つの原稿サイズ情報を取得した場合には、３枚の原稿が載置されていると判断することができる。
【００４２】
次に、制御部２は、読取りが禁止された原稿があるか否かを判断する（Ｓ３）。具体的には、Ｓ２において第１リーダ２２が読み出した原稿に関する情報に読取禁止情報が含まれているか否かを判断する。ここで、読取りが禁止された原稿があると判断した場合（Ｓ３：ＹＥＳ）、すなわち、読み出した原稿に関する情報に読取禁止情報が含まれていると判断した場合、読み出した原稿に関する情報に基づいて報知処理を行うとともに、原稿の読取りを禁止する（Ｓ４）。
【００４３】
図５の（ａ）は、このＳ４の報知処理で液晶表示装置１４に表示される読取り禁止情報報知画面３２の一例を示した図である。この読取り禁止情報報知画面３２では、図示するように、例えば「コピーできない原稿がセットされています」などの読取りが禁止された原稿が原稿トレイ２５に載置されていることを通知するためのメッセージと、「コピーできない原稿を取り除いて下さい」などの読取りが禁止された原稿を取り除くことを促す旨のメッセージが表示されている。制御部２は、このような報知処理を行うとともに、操作部８からの原稿の読取り開始命令があったとしても原稿読取部３に原稿の読取りを行わせないようにして原稿の読取りを禁止する。また、Ｓ４の報知処理において、上記のメッセージと同様の音声メッセージ予めＲＡＭ１１等に格納しておき、その音声メッセージの音声をスピーカ１６から鳴動させて報知処理を行うようにしてもよい。
【００４４】
一方、設定手段として機能する制御部２は、読取りが禁止された原稿はないと判断した場合（Ｓ３：ＮＯ）、すなわち、Ｓ２で第１リーダ２２がＲＦＩＤタグから読み出した原稿に関する情報に読取禁止情報が含まれていないと判断した場合、第１リーダ２２が読み出した原稿に関する情報に基づいて原稿トレイ２５に載置された原稿に対する読取モードを設定する（Ｓ５）。例えば、第１リーダ２２が読み出した原稿に関する情報に複数の異なる原稿サイズ情報が含まれている場合、すなわち、原稿サイズの異なる複数枚の原稿が原稿トレイ２５に載置されている場合、載置されている原稿に対する読取モードを混載モードに設定する。具体的には、原稿の読取り開始命令があった場合に、原稿読取部３に混載モードにより原稿の読取りを行わせるための設定情報をＲＡＭ１１に格納する。
【００４５】
また、第１リーダ２２が読み出した原稿に関する情報に原稿種類情報が含まれている場合、制御部２は、第１リーダ２２が読み出した原稿に関する情報に含まれている原稿種類情報に応じて原稿トレイ２５に載置されている原稿に対する読取モードを設定する。例えば、第１リーダ２２が読み出した原稿に関する情報に原稿が地模様や地色のある原稿であることを示す情報（原稿種類情報）が含まれている場合には、制御部２は、原稿の画像データを読取ってその原稿の画像データの地模様や地色の画像を消去する画像処理を原稿読取部３と画像処理部４に行わせるための設定情報をＲＡＭ１１に格納して読取モードを車検証モードに設定する。
【００４６】
制御部２は、このように読取モードを設定するとともに、Ｓ２で第１リーダ２２が取得した原稿に関する情報に基づいて報知処理を実行する（Ｓ６）。図５の（ｂ）は、Ｓ６の報知処理で液晶表示装置１４に表示された読取モード情報報知画面３３の一例を示した図である。この読取モード情報報知画面３３では、例えば「サイズの異なる原稿がセットされました」などの原稿サイズの異なる複数枚の原稿が原稿トレイ２５に載置されていることを示すメッセージと、「混載モードで読取ります」などの読取モードが混載モードに設定されていることを示すメッセージと、が表示されている。制御部２は、このようにして第１リーダ２２がＳ２でＲＦＩＤタグから読み出した原稿に関する情報に基づいて報知処理を行う。なお、ここでは、例として読取モードが自動的に混載モードに設定されているが、ユーザが操作部８等から解除操作を行って、読取モード（ここでは、混載モード）の設定を解除することも当然可能である。
【００４７】
続いて、制御部２は、操作部８のスタートキーが押下されたか否か等に基づいて、原稿の読取り開始命令があったか否かを判断する（Ｓ７）。ここで、原稿の読取り開始命令があったと判断した場合（Ｓ７：ＹＥＳ）、複数の異なる原稿に関する情報があるか否かを判断する（Ｓ８）。すなわち、原稿読取部３の読取動作と原稿読取部３が読取った原稿の画像データに対する画像処理部４の画像処理とを原稿毎に変更する必要があるか否かを判断する。
【００４８】
制御部２は、複数の異なる原稿に関する情報はないと判断した場合（Ｓ８：ＮＯ）、すなわち、Ｓ２において、第１リーダ２２が１枚の原稿の原稿に関する情報のみを読み出した場合（原稿が１枚だけ載置されている場合）、又は第１リーダ２２が複数枚の原稿の各ＲＦＩＤタグからそれぞれ読み出した原稿に関する情報が全て同じ場合には、原稿読取部３は、自動原稿給送装置２１により原稿トレイ２５から１枚の原稿を搬送し（Ｓ９）、原稿読取り開始前、すなわち、Ｓ２において第１リーダ２２が読み出した原稿に関する情報に基づいてＳ９の処理により搬送路２６に搬入された原稿の画像データを読取る（Ｓ１０）。なお、このＳ１０において、ＣＣＤラインセンサ１８とＣＩＳ読取ユニット１９の両方又はいずれか一方は、自動原稿給送装置２１により原稿トレイ２５から搬送される原稿（搬送路２６に搬入された原稿）の画像データをＳ５において設定された読取モードで読取り、画像処理部４は、その読取モードの機能を実行するために必要な画像処理を行う。そして、制御部２は、原稿検出センサ２０の検出結果に基づいて、読取るべき次の原稿があるか否かを判断し（Ｓ１１）、次の原稿があると判断した場合には（Ｓ１１：ＹＥＳ）、その次の原稿に対してＳ９及びＳ１０の処理動作を行い、読取るべき次の原稿がないと判断した場合には（Ｓ１１：ＮＯ）、処理を終了する。
【００４９】
一方、制御部２は、複数の異なる原稿に関する情報があると判断した場合（Ｓ８：ＹＥＳ）、すなわち、原稿トレイ２５に複数枚の原稿が載置されており且つそれらの原稿に関する情報が異なっていると判断した場合、原稿読取部３は、自動原稿給送装置２１により原稿トレイ２５から１枚の原稿を搬送し（Ｓ１２）、第２リーダ２３は、これにより搬送路２６に搬入された原稿に付設されているＲＦＩＤタグから原稿に関する情報を読み出す（Ｓ１３）。とろこで、Ｓ２において、第１リーダ２２により原稿トレイ２５に載置された全ての原稿のＲＦＩＤタグから原稿に関する情報を読み出すことが可能であるが、それらの情報がいずれか１つでも異なる場合、取得したそれぞれの原稿に関する情報がどの原稿のＲＦＩＤタグに記憶されているものであるかまでは識別（判別）することができない。例えば、Ｓ５において、読取モードが混載モードに設定されている場合、原稿サイズ情報から、原稿トレイ２５に複数枚の原稿が載置されており、それらの原稿サイズが異なっていることは判断することができるが、各原稿毎の原稿サイズまでは判別することができない。よって、Ｓ１３において原稿トレイ２５に複数枚載置されている原稿から読取るべき原稿を分離して原稿に関する情報を読み出すことにより、その読取るべき原稿に対応する原稿に関する情報を取得することができる。
【００５０】
原稿読取部３は、Ｓ１３で第２リーダ２３が読み出した原稿に関する情報に基づいて自動原稿給送装置２１搬送路２６に搬入された原稿の画像データを読取る（Ｓ１４）。なお、このＳ１４において、ＣＣＤラインセンサ１８とＣＩＳ読取ユニット１９の両方又はいずれか一方は、自動原稿給送装置２１により原稿トレイ２５から搬送される原稿の画像データをＳ５において設定された読取モードで読取り、画像処理部４は、その読取モードの機能を実行するために必要な画像処理を行う。そして、制御部２は、原稿検出センサ２０の検出結果に基づいて、読取るべき次の原稿があるか否かを判断し（Ｓ１５）、次の原稿があると判断した場合には（Ｓ１５：ＹＥＳ）、その次の原稿に対してＳ１２乃至Ｓ１４の処理動作を行い、読取るべき次の原稿がないと判断した場合には（Ｓ１５：ＮＯ）、処理を終了する。
【００５１】
なお、詳述しないが、上記のフローチャートに従って原稿読取部３によって読取られた後に画像処理部４によって必要な画像処理が行われた原稿の画像データは、コーデック５によって所定の符号化方式で符号化され、画像メモリ６に一旦格納される。そして、記録部７の動作に合わせて画像メモリ６から読み出されてコーデック５によって復号された後、記録部７においてその画像が用紙に記録される。また、画像読取装置１にファクシミリ機能などを実装して原稿の画像データをファクシミリ送信等に使用することも当然可能である。
【００５２】
また、Ｓ４又はＳ６において、第１リーダ２２が原稿トレイ２５に載置された原稿のＲＦＩＤタグから読み出した原稿に関する情報に基づいて報知処理を行う場合について説明したが、原稿の読取り開始後は、自動原稿給送装置２１により搬送中の原稿のＲＦＩＤタグからＳ１３の処理により第２リーダ２３が読み出した原稿に関する情報に基づいて報知処理を行うようにしてもよい。図５の（ｃ）は、自動原稿給送装置２１により搬送中の原稿から第２リーダ２３が読み出した原稿に関する情報を示した原稿情報報知画面３４の一例を示した図である。図示する原稿情報報知画面３４では、原稿サイズ情報に基づく原稿サイズと、原稿種類情報に基づいて判別した原稿の画像の種類、原稿の画像がカラーであるか又はモノクロであるかを示す情報、原稿が両面原稿であるか又は片面原稿であるかを示す情報など、搬送中の原稿に関する情報が表示されている。このように、第１リーダ２２又は第２リーダ２３がＲＦＩＤタグから読み出した原稿に関する情報に基づいて報知処理を行う制御部２と報知部９が報知手段として機能する。
【００５３】
以上説明したように、この画像読取装置１によれば、原稿トレイ２５に載置された原稿に付設されているＲＦＩＤタグから原稿に関する情報を読み出してそれに基づいて読取モードを設定することができるため、原稿の読取り開始前にユーザが読取モードの設定操作を行う必要がないという利点がある。また、読取モードを設定するために必要な情報（原稿に関する情報）を第１リーダ２２により原稿に付設されたＲＦＩＤタグから容易に読み出すことができるため、従来の画像読取装置のように、例えば原稿トレイから原稿を１枚ずつ搬送して原稿サイズ検出センサにより全ての原稿の原稿サイズを検出するといった処理を行う必要がないという利点がある。
【００５４】
また、原稿トレイ２５に載置された原稿から第１リーダ２２が読み出した原稿に関する情報が異なっており、原稿に関する情報がどの原稿に対応するものであるかを判別できない場合でも、第２リーダ２３により原稿毎に個別に原稿に関する情報を読み出すことができるため、原稿サイズ検出センサを使った原稿サイズ検出処理やプレスキャン等による原稿の画像がカラーであるか又はモノクロであるかを判別する処理等を行う必要がなく、原稿の読取動作にかかる時間を短縮することができる。
【００５５】
なお、本実施形態においては、第１リーダ２２が取得手段、第２リーダ２３が分離取得手段として機能する場合について説明したが、このように２つのリーダを設けることなく、１つのリーダに取得手段としての機能と分離取得手段としての機能の両方を行わせることも可能である。すなわち、原稿トレイ２５に原稿が載置されたときに載置されている原稿に付設されているＲＦＩＤタグから原稿に関する情報を読み出し、原稿の読取り開始命令があった後は、その取得位置を搬送路２６の所定の位置に変更して搬送路２６に搬入されて搬送路２６を搬送中の原稿から原稿に関する情報を読み出すようにすればよい。
【００５６】
また、本実施の形態で示した画像読取装置１の構成は、本発明に係る画像読取装置の一態様にすぎず、本発明の要旨を逸脱しない範囲内で適宜設計変更できることは勿論であり、自動原稿給送装置により原稿トレイから搬送される原稿の画像データを読取る装置であれば、例えば、ファクシミリ装置、スキャナ、及びこれらの複合機等としても実現可能である。
【産業上の利用可能性】
【００５７】
本発明は、例えば、自動原稿給送装置により原稿トレイから搬送される原稿の画像データを読取る読取手段を備えた複写機、ファクシミリ装置、スキャナ、及びこれらの複合機に適用可能である。
【図面の簡単な説明】
【００５８】
【図１】本発明の実施の形態に係る画像読取装置の構成例を示したブロック図である。
【図２】原稿読取部の各部について説明するための概略断面図である。
【図３】原稿に関する情報を記憶するＲＦＩＤタグが付加された原稿が原稿トレイに載置された場合に、画像読取装置において行われる処理動作を示したフローチャートである。
【図４】原稿に関する情報を記憶するＲＦＩＤタグが付加された原稿が原稿トレイに載置された場合に、画像読取装置において行われる処理動作を示したフローチャートである。
【図５】液晶表示装置に表示される報知画面の一例を示した図である。
【符号の説明】
【００５９】
１    画像読取装置
２    制御部（ＭＰＵ）
３    原稿読取部
４    画像処理部
９    報知部
１４    液晶表示装置
１６    スピーカ
１８    ＣＣＤラインセンサ
１９    ＣＩＳ読取ユニット
２０    原稿検出センサ
２１    自動原稿給送装置（ＡＤＦ）
２２    第１リーダ
２３    第２リーダ
２５    原稿トレイ
２６    搬送路
【図１】
2006080804.tif 000003
【図２】
2006080804.tif 000004
【図３】
2006080804.tif 000005
【図４】
2006080804.tif 000006
【図５】
2006080804.tif 000007